(57)【要約】      （修正有）【課題】複数の通信装置から所望の通信装置の状態を監視することが可能な通信システム及び通信システム上の通信装置の監視方法を提供する。【解決手段】通信網を介して第１〜第Ｎの通信装置の通信の状態情報から、通信状態要求信号によって指定された状態情報を選出する通信状態管理部と、情報に対応付けした第１〜第Ｎのアイコンを表し、且つ、通信異常が生じている通信装置に対応した状態情報に対応するアイコン領域内に所定の文字情報を付加し監視画像を表す監視画像信号及び通信状態管理部で選出され状態情報を表す通信管理画像信号を、端末に送信する画像制御部と、通信装置から通信異常が生じている通信装置を検出する通信異常検出部と、を含むサーバと、監視画像及び通信管理画像を表示する表示部、アイコン選択操作を受けた場合に選択アイコンに対応した通信状態情報を指定する通信状態要求信号をサーバに送信する端末と、を有する。【選択図】図１
2018142901.tif 000002
【特許請求の範囲】
【請求項１】
通信網に接続されている第１〜第Ｎ（Ｎは２以上の整数）の通信装置と、前記通信網に接続されているサーバと、前記サーバと通信を行う端末と、を含み、
前記サーバは、
前記通信網を介して前記第１〜第Ｎの通信装置の通信状態を検出して第１〜第Ｎの通信状態情報を得て、通信状態要求信号を受信した場合に前記第１〜第Ｎの通信状態情報のうちから前記通信状態要求信号で指定された通信状態情報を選出する通信状態管理部と、
前記通信網を介して前記第１〜第Ｎの通信装置のうちから通信異常が生じている通信装置を検出する通信異常検出部と、
前記第１〜第Ｎの通信状態情報に対応付けした第１〜第Ｎのアイコンを表し且つ前記第１〜第Ｎのアイコンのうちで前記通信異常が生じている前記通信装置に対応した前記通信状態情報に対応付けされている前記アイコンの領域内に所定の文字情報を付加した監視画像を表す監視画像信号、及び前記通信状態管理部で選出された前記通信状態情報を表す通信管理画像信号を前記端末に送信する画像制御部と、を含み、
前記端末は、前記監視画像信号に基づく前記監視画像及び前記通信管理画像信号に基づく通信管理画像を表示する表示部を含み、前記監視画像に含まれる前記第１〜第Ｎのアイコンのうちから１つのアイコンを選択する操作を受けた場合に前記選択されたアイコンに対応した前記通信状態情報を指定する前記通信状態要求信号を前記サーバに送信することを特徴とする通信システム。
【請求項２】
前記通信異常検出部は、
前記第１〜第Ｎの通信装置毎に、前記通信異常が生じている場合には第１の文字情報、前記通信異常が生じていない場合には第２の文字情報を表すログデータを生成する異常検出部と、
前記第１〜第Ｎの通信装置に対応付けして前記ログデータを蓄積する第１〜第Ｎのログ蓄積部と、
前記第１〜第Ｎのログ蓄積部の各々から前記第１の文字情報を表す前記ログデータの検索を行い、前記第１の文字情報を表す前記ログデータが検索された前記ログ蓄積部に対応した前記通信装置に前記通信異常が生じていると判定するログ検索部と、を含むことを特徴とする請求項１に記載の通信システム。
【請求項３】
前記端末は、前記ログデータの検索条件を表すキーワードの入力操作を受けたときに、前記キーワードを表す検索条件指定信号を前記サーバに送信し、
前記サーバの前記ログ検索部は、前記検索条件指定信号にて表されるキーワードを前記第１の文字情報として設定することを特徴とする請求項２に記載の通信システム。
【請求項４】
前記通信状態管理部は、前記第１〜第Ｎの通信装置に夫々対応した第１〜第Ｎの通信管理ソフトウェアを実行することにより、前記第１〜第Ｎの通信状態情報を生成すると共に  前記第１〜第Ｎの異常検出部を構築することを特徴とする請求項１〜３のいずれか１に記載の通信システム。
【請求項５】
前記所定の文字情報は警告を促すメッセージであることを特徴とする請求項１〜４のいずれか１に記載の通信システム。
【請求項６】
第１〜第Ｎのセンサを含み、
前記第１〜第Ｎの通信装置は、前記第１〜第Ｎのセンサで生成された第１〜第Ｎの検出信号を前記通信網を介して前記サーバに送信することを特徴とする請求項１〜５のいずれか１に記載の通信システム。
【請求項７】
通信網に接続されている第１〜第Ｎ（Ｎは２以上の整数）の通信装置と、前記通信網に接続されているサーバと、前記サーバと通信を行う端末と、を含む通信システムにおける通信装置の監視方法であって、
前記サーバが、
前記通信網を介して前記第１〜第Ｎの通信装置の通信状態を検出して第１〜第Ｎの通信状態情報を得て、通信状態要求信号を受信した場合に前記第１〜第Ｎの通信状態情報のうちから前記通信状態要求信号によって指定された通信状態情報を選出し、
前記通信網を介して前記第１〜第Ｎの通信装置のうちから通信異常が生じている通信装置を検出し、
前記第１〜第Ｎの通信状態情報に対応付けした第１〜第Ｎのアイコンを表し且つ前記第１〜第Ｎのアイコンのうちで前記通信異常が生じている前記通信装置に対応した前記通信状態情報に対応付けされている前記アイコンの領域内に所定の文字情報を付加した監視画像を表す監視画像信号、及び前記通信状態管理部で選出された前記通信状態情報を表す通信管理画像信号を前記端末に送信し、
前記端末が、前記監視画像信号に基づく前記監視画像及び前記通信管理画像信号に基づく通信管理画像を表示し、
前記監視画像に含まれる前記第１〜第Ｎのアイコンのうちから１つのアイコンを選択する操作を受けた場合に前記選択されたアイコンに対応した前記通信状態情報を指定する前記通信状態要求信号を前記サーバに送信することを特徴とする通信システムにおける通信装置の監視方法。
【発明の詳細な説明】
【技術分野】
【０００１】
本発明は、通信システム、及び複数の通信装置を含む通信システムにおける通信装置の監視方法に関する。
【背景技術】
【０００２】
現在、自然現象や人工物等の状態を検出する、いわゆるセンサによって取得された情報データを、例えばインターネットを経由してクラウドサーバ等に転送するＩｏＴ（Internet of Things）が普及している（例えば、特許文献１参照）。このようなＩｏＴを利用したプラットフォームは、複数のセンサ、及び各センサで取得した情報データをクラウドサーバに送信する通信装置を含んでいる。
【先行技術文献】
【特許文献】
【０００３】
【特許文献１】特開２０１６−１６３０８７号公報
【発明の概要】
【発明が解決しようとする課題】
【０００４】
ところで、上記したＩｏＴプラットフォームでは、センサ毎に、そのセンサに接続されている通信装置のベンダが異なる場合がある。
【０００５】
よって、各通信装置の現在の状態、例えば通信異常の状態にあるか否かを監視するためには、通信装置毎にそのベンダが提供する管理ソフトウェア（以下、管理Ｓ／Ｗとも称する）を、コンピュータ等によって起動することになる。
【０００６】
例えば、ＩｏＴプラットフォームの使用者は、監視対象とする通信装置のベンダが提供する管理Ｓ／Ｗを起動し、当該管理Ｓ／Ｗの起動によって表示された監視画像に基づき、その通信装置の現在の通信状態を監視する。
【０００７】
尚、管理Ｓ／Ｗは、例え通信装置が同一の機種であっても、この管理Ｓ／Ｗを提供するベンダ毎に異なる場合があり、それ故、監視画像の形態も通信装置毎に異なる場合がある。
【０００８】
したがって、使用者は、各通信装置と、その通信装置に対応した管理Ｓ／Ｗ及び通信管理画像と、の対応関係を認識しておかなければならない。
【０００９】
また、通信装置毎に管理Ｓ／Ｗが異なる場合に、複数の通信装置のうちで通信異常が生じている通信装置の通信状態を知るためには、使用者は、複数の管理Ｓ／Ｗを起動し、それぞれの管理画像を確認しなければならない。したがって、その操作が煩わしい、或いは誤操作する虞があるという問題があった。
【００１０】
本発明は、簡単な操作で且つ誤操作することなく、複数の通信装置のうちの所望の通信装置の通信状態を確認することが可能な通信システム及び通信システムにおける通信装置の監視方法を提供することを目的とする。
【課題を解決するための手段】
【００１１】
本発明による通信システムは、通信網に接続されている第１〜第Ｎ（Ｎは２以上の整数）の通信装置と、前記通信網に接続されているサーバと、前記サーバと通信を行う端末と、を含み、前記サーバは、前記通信網を介して前記第１〜第Ｎの通信装置の通信状態を検出して第１〜第Ｎの通信状態情報を得て、通信状態要求信号を受信した場合に前記第１〜第Ｎの通信状態情報のうちから前記通信状態要求信号で指定された通信状態情報を選出する通信状態管理部と、前記通信網を介して前記第１〜第Ｎの通信装置のうちから通信異常が生じている通信装置を検出する通信異常検出部と、前記第１〜第Ｎの通信状態情報に対応付けした第１〜第Ｎのアイコンを表し且つ前記第１〜第Ｎのアイコンのうちで前記通信異常が生じている前記通信装置に対応した前記通信状態情報に対応付けされている前記アイコンの領域内に所定の文字情報を付加した監視画像を表す監視画像信号、及び前記通信状態管理部で選出された前記通信状態情報を表す通信管理画像信号を前記端末に送信する画像制御部と、を含み、前記端末は、前記監視画像信号に基づく前記監視画像及び前記通信管理画像信号に基づく通信管理画像を表示する表示部を含み、前記監視画像に含まれる前記第１〜第Ｎのアイコンのうちから１つのアイコンを選択する操作を受けた場合に前記選択されたアイコンに対応した前記通信状態情報を指定する前記通信状態要求信号を前記サーバに送信する。
【００１２】
又、本発明による通信システムにおける通信装置の監視方法は、通信網に接続されている第１〜第Ｎ（Ｎは２以上の整数）の通信装置と、前記通信網に接続されているサーバと、前記サーバと通信を行う端末と、を含む通信システムにおける通信装置の監視方法であって、前記サーバが、前記通信網を介して前記第１〜第Ｎの通信装置の通信状態を検出して第１〜第Ｎの通信状態情報を得て、通信状態要求信号を受信した場合に前記第１〜第Ｎの通信状態情報のうちから前記通信状態要求信号によって指定された通信状態情報を選出し、前記通信網を介して前記第１〜第Ｎの通信装置のうちから通信異常が生じている通信装置を検出し、前記第１〜第Ｎの通信状態情報に対応付けした第１〜第Ｎのアイコンを表し且つ前記第１〜第Ｎのアイコンのうちで前記通信異常が生じている前記通信装置に対応した前記通信状態情報に対応付けされている前記アイコンの領域内に所定の文字情報を付加した監視画像を表す監視画像信号、及び前記通信状態管理部で選出された前記通信状態情報を表す通信管理画像信号を前記端末に送信し、前記端末が、前記監視画像信号に基づく前記監視画像及び前記通信管理画像信号に基づく通信管理画像を表示し、前記監視画像に含まれる前記第１〜第Ｎのアイコンのうちから１つのアイコンを選択する操作を受けた場合に前記選択されたアイコンに対応した前記通信状態情報を指定する前記通信状態要求信号を前記サーバに送信する。
【発明の効果】
【００１３】
本発明によれば、端末の使用者は、各通信装置に対応した第１〜第Ｎの通信状態情報に対応付けされた第１〜第Ｎのアイコンを含む監視画像から、文字情報が付加されたアイコンを確認することにより、取得を優先する通信状態情報を知ることが可能となる。
【００１４】
ここで、使用者が、第１〜第Ｎのアイコンのうちから、上記したように文字情報が付加されたアイコンを選択すると、その選択したアイコンに対応付けされている通信管理画像が表示される。
【００１５】
従って、複数の通信装置毎に、その通信装置の通信状態情報の生成を担う通信管理ソフトウェアが異なっていても、使用者は、簡単な操作で且つ誤操作することなく、複数の通信装置のうちの所望の通信装置の通信状態を確認することが可能となる。
【図面の簡単な説明】
【００１６】
【図１】本発明に係る通信システム１００の構成を示すブロック図である。
【図２】監視部５５の内部構成を示すブロック図である。
【図３】監視画像ＤＭの一例を示す図である。
【図４】センサ１１、第１の通信装置(２１、３１)、監視部５５、及びＨＭＩ端末６０間で行われる動作の一例を表す通信フロー図である。
【図５】センサ１２、第２の通信装置（２２、３２）、監視部５５、及びＨＭＩ端末６０間で行われる動作の一例を表す通信フロー図である。
【図６】監視部５５に含まれる通信状態管理部５１０及び統合画像制御部５０４とＨＭＩ端末６０との間で行われる動作の一例を表す通信フロー図である。
【発明を実施するための形態】
【００１７】
図１は、本発明に係る通信システム１００の構成を示すブロック図である。
【００１８】
図１に示すように、かかる通信システム１００は、センサ１１〜１４、副通信部２１〜２４、主通信部３１〜３３、ゲートウェイ４０、ＩｏＴ（Internet of Things）サーバ５０、及びＨＭＩ（Human Machine Interface）端末６０を含む。
【００１９】
センサ１１〜１４の各々は、物体の状態や性質、あるいは物理現象に関する量を検出する。尚、センサ１１〜１４としては、例えば温度センサ、湿度センサ、磁気センサ等の他に、カメラ又はマイクロフォン等のように映像及び音声を取得するものを含む。
【００２０】
センサ１１は、自身の検出結果を表す検出信号ＳＤ１を副通信部２１に供給する。副通信部２１は検出信号ＳＤ１を主通信部３１に送信する。主通信部３１は、受信した検出信号ＳＤ１と、送り先であるＩｏＴサーバ５０のアドレスと、を表すセンサ信号ＤＸ１をゲートウェイ４０に供給する。
【００２１】
また、主通信部３１は、これら副通信部２１及び主通信部３１のベンダ（以降、第１のベンダと称する）が提供するソフトウェア（以降、Ｓ／Ｗとも称する）に従って、副通信部２１及び主通信部３１間の通信に異常が生じているか否か、或いは副通信部２１に故障が生じているか否かを判定する。ここで、副通信部２１及び主通信部３１間で通信異常が生じている、或いは副通信部２１に故障が生じていると判定した場合、主通信部３１は、当該第１のベンダが採用した通信仕様に従った信号フォーマットを有する通信異常検知信号Ｅ１をゲートウェイ４０に供給する。
【００２２】
センサ１２は、自身の検出結果を表す検出信号ＳＤ２を副通信部２２に供給する。副通信部２２は検出信号ＳＤ２を主通信部３２に送信する。主通信部３２は、受信した検出信号ＳＤ２と、送り先であるＩｏＴサーバ５０のアドレスと、を表すセンサ信号ＤＸ２をゲートウェイ４０に供給する。
【００２３】
また、主通信部３２は、これら副通信部２２及び主通信部３２のベンダ（以降、第２のベンダと称する）が提供するＳ／Ｗに従って、主通信部３２及び副通信部２２間の通信に異常が生じているか否か、或いは副通信部２２に故障が生じているか否かを判定する。ここで、副通信部２２及び主通信部３２間で通信異常が生じている、或いは副通信部２２に故障が生じていると判定した場合には、主通信部３２は、当該第２のベンダが採用した通信仕様に従った信号フォーマットを有する通信異常検知信号Ｅ２をゲートウェイ４０に供給する。
【００２４】
センサ１３は、自身の検出結果を表す検出信号ＳＤ３を副通信部２３に供給する。副通信部２３は検出信号ＳＤ３を主通信部３３に送信する。
【００２５】
センサ１４は、自身の検出結果を表す検出信号ＳＤ４を副通信部２４に供給する。副通信部２４は検出信号ＳＤ４を主通信部３３に送信する。
【００２６】
主通信部３３は、受信した検出信号ＳＤ３及びＳＤ４と、送り先であるＩｏＴサーバ５０のアドレスと、を表すセンサ信号ＤＸＢをゲートウェイ４０に供給する。
【００２７】
また、主通信部３３は、副通信部２３及び主通信部３３のベンダ（以降、第３のベンダと称する）が提供するＳ／Ｗに従って、副通信部２３及び主通信部３３間の通信に異常が生じているか否か、或いは副通信部２３に故障が生じているか否かを判定する。ここで、副通信部２３及び主通信部３３間に通信異常が生じている、或いは副通信部２３に故障が生じていると判定した場合には、主通信部３３は、第３のベンダが採用した通信仕様に従った信号フォーマットを有する通信異常検知信号Ｅ３をゲートウェイ４０に供給する。
【００２８】
また、主通信部３３は、上記した第３のベンダが提供するＳ／Ｗに従って、副通信部２４及び主通信部３３間の通信に異常が生じているか、或いは副通信部２４に故障が生じているか否かを判定する。ここで、副通信部２４及び主通信部３３間に通信異常が生じている、或いは副通信部２４に故障が生じていると判定した場合、主通信部３３は、当該第３のベンダが採用した通信仕様に従った信号フォーマットを有する通信異常検知信号Ｅ４をゲートウェイ４０に供給する。
【００２９】
ゲートウェイ４０は、センサ信号ＤＸ１、ＤＸ２、ＤＸＢ、通信異常検知信号Ｅ１〜Ｅ４のうちの少なくとも１つの信号を受けた場合に、この少なくとも１つの信号を、ネットワークＮＷａに対応したプロトコルに変換する。ネットワークＮＷａは例えばＷＡＮ（Wide Area Network）等からなる。ゲートウェイ４０は、センサ信号ＤＸ１、ＤＸ２、ＤＸＢ、又は通信異常検知信号Ｅ１〜Ｅ４に対して当該プロトコル変換を施した信号を、ネットワークＮＷａを介して、送り先のアドレス、つまりＩｏＴサーバ５０に送信する。
【００３０】
尚、前述したように、通信異常検知信号Ｅ１は、副通信部２１及び主通信部３１を含む第１の通信装置（２１、３１）に対応した信号である。また、通信異常検知信号Ｅ２は、副通信部２２及び主通信部３２を含む第２の通信装置（２２、３２）に対応した信号である。また、通信異常検知信号Ｅ３は、副通信部２３及び主通信部３３を含む第３の通信装置（２３、３３）に対応した信号である。また、通信異常検知信号Ｅ４は、副通信部２４及び主通信部３３を含む第４の通信装置（２４、３３）に対応した信号である。
【００３１】
ＩｏＴサーバ５０は、ネットワークＮＷａを介してセンサ信号ＤＸ１、ＤＸ２、及びＤＸＢを受けた場合には、当該センサ信号ＤＸ１、ＤＸ２、ＤＸＢに含まれる検出信号ＳＤ１〜ＳＤ４を個別にデータベース（図示せぬ）に蓄積する。
【００３２】
また、ＩｏＴサーバ５０は、監視部５５を含む。
【００３３】
図２は、監視部５５の内部構成の一例を示すブロック図である。図２に示すように、監視部５５は、異常検出部５０１ａ〜５０１ｃ、ログ蓄積部５０２ａ〜５０２ｃ、ログ常時検索部５０３ａ〜５０３ｃ、統合監視画像制御部５０４、記憶媒体５０９、及び通信状態管理部５１０を有する。
【００３４】
異常検出部５０１ａは、ネットワークＮＷａを介して、第１のベンダが採用した通信仕様に基づく信号フォーマットを有する通信異常検知信号Ｅ１を受信したか否かを判定する。異常検出部５０１ａは、通信異常検知信号Ｅ１を受信しているときは、「警告」を文字情報で表すログデータＬＧａを、ログ蓄積部５０２ａに供給する。一方、通信異常検知信号Ｅ１を受信していないときは、異常検出部５０１ａは、「正常」を文字情報で表すログデータＬＧａを、ログ蓄積部５０２ａに供給する。
【００３５】
ログ蓄積部５０２ａは、例えば所定の期間間隔でログデータＬＧａを取り込み、当該ログデータＬＧａにて示される内容、つまり「警告」又は「正常」を表す文字情報を蓄積して行く。
【００３６】
ログ常時検索部５０３ａは、例えば文字情報としての「警告」を検索条件として、ログ蓄積部５０２ａから「警告」を表すログデータＬＧａの検索を行う。ログ常時検索部５０３ａは、当該検索により、「警告」を表すログデータＬＧａがログ蓄積部５０２ａに蓄積されているか否かを判定し、蓄積されていると判定した場合に、第１の通信装置（２１、３１）が異常状態にあることを警告する警告信号ＥＲａを統合監視画像制御部５０４に供給する。
【００３７】
異常検出部５０１ｂは、ネットワークＮＷａを介して、第２のベンダが採用した通信仕様に基づく信号フォーマットを有する通信異常検知信号Ｅ２を受信したか否かを判定する。異常検出部５０１ｂは、通信異常検知信号Ｅ２を受信しているときは、「警告」を文字情報で表すログデータＬＧｂを、ログ蓄積部５０２ｂに供給する。一方、通信異常検知信号Ｅ２を受信していないときは、異常検出部５０１ｂは、「正常」を文字情報で表すログデータＬＧｂを、ログ蓄積部５０２ｂに供給する。
【００３８】
ログ蓄積部５０２ｂは、例えば所定の期間間隔でログデータＬＧｂを取り込み、当該ログデータＬＧｂにて示される内容、つまり「警告」又は「正常」を表す文字情報を蓄積して行く。
【００３９】
ログ常時検索部５０３ｂは、例えば文字情報としての「警告」を検索条件として、ログ蓄積部５０２ｂから「警告」を表すログデータＬＧｂの検索を行う。ログ常時検索部５０３ｂは、当該検索により、「警告」を表すログデータＬＧｂがログ蓄積部５０２ｂに蓄積されているか否かを判定し、蓄積されていると判定した場合に、第２の通信装置（２２、３２）が異常状態にあることを警告する警告信号ＥＲｂを統合監視画像制御部５０４に供給する。
【００４０】
異常検出部５０１ｃは、ネットワークＮＷａを介して、第３のベンダが採用した通信仕様に基づく信号フォーマットを有する通信異常検知信号Ｅ３又はＥ４を受信したか否かを判定する。異常検出部５０１ｃは、通信異常検知信号Ｅ３を受信しているときは「警告」を文字情報で表すログデータＬＧｃを、ログ蓄積部５０２ｃに供給する。一方、通信異常検知信号Ｅ３を受信していないときには、異常検出部５０１ｃは、「正常」を文字情報で表すログデータＬＧｃを、ログ蓄積部５０２ｃに供給する。
【００４１】
また、異常検出部５０１ｃは、通信異常検知信号Ｅ４を受信しているときは「警告」を文字情報で表すログデータＬＧｄを、ログ蓄積部５０２ｃに供給する。一方、通信異常検知信号Ｅ４を受信していないときには、異常検出部５０１ｃは、「正常」を文字情報で表すログデータＬＧｄを、ログ蓄積部５０２ｃに供給する。
【００４２】
ログ蓄積部５０２ｃは、例えば所定の期間間隔でログデータＬＧｃ及びＬＧｄを取り込み、当該ログデータＬＧｃ、ＬＧｄにて示される内容、つまり「警告」又は「正常」を表す文字情報を蓄積して行く。
【００４３】
ログ常時検索部５０３ｃは、例えば文字情報としての「警告」を検索条件として、ログ蓄積部５０２ｃから「警告」を表すログデータＬＧｃ及びＬＧｄの検索を行う。
【００４４】
ログ常時検索部５０３ｃは、当該検索により、「警告」を表すログデータＬＧｃがログ蓄積部５０２ｃに蓄積されているか否かを判定し、蓄積されていると判定した場合に、第３の通信装置（２３、３３）が異常状態にあることを警告する警告信号ＥＲｃを統合監視画像制御部５０４に供給する。
【００４５】
また、ログ常時検索部５０３ｃは、上記した検索の結果、「警告」を表すログデータＬＧｄがログ蓄積部５０２ｃに蓄積されているか否かを判定し、蓄積されていると判定した場合に、第４の通信装置（２４、３３）が異常状態にあることを警告する警告信号ＥＲｄを統合監視画像制御部５０４に供給する。
【００４６】
尚、上記したログ常時検索部５０３ａ、５０３ｂ及び５０３ｃは、ＨＭＩ端末６０から送信された検索条件指定信号をネットワークＮＷｂを介して受けたときに、当該検索条件指定信号にて指定された条件を、上記検索条件として設定する。
【００４７】
記憶媒体５０９には、第１〜第３の通信管理Ｓ／Ｗが予め格納されている。第１の通信管理Ｓ／Ｗは、第１のベンダから提供されたプログラムであり、第１の通信装置（２１、３１）の通信状態の検出処理等を担う。第２の通信管理Ｓ／Ｗは、第２のベンダから提供されたプログラムであり、第２の通信装置（２２、３２）の通信状態の検出処理等を担う。また、第３の通信管理Ｓ／Ｗは、第３のベンダから提供されたプログラムであり、第３の通信装置（２３、３３）及び第４の通信装置（２４、３３）の通信状態の検出処理等を担う。
【００４８】
通信状態管理部５１０は、記憶媒体５０９に格納されている第１〜第３の通信管理Ｓ／Ｗを実行する。尚、上記した異常検出部５０１ａは第１の通信管理Ｓ／Ｗの実行により構築されたＳ／Ｗモジュールである。また、異常検出部５０１ｂは第２の通信管理Ｓ／Ｗの実行により構築されたＳ／Ｗモジュールである。また、異常検出部５０１ｃは第３の通信管理Ｓ／Ｗの実行により構築されたＳ／Ｗモジュールである。
【００４９】
更に、通信状態管理部５１０は、上記した第１〜第３の通信管理Ｓ／Ｗの実行により、以下の処理を行う。
【００５０】
通信状態管理部５１０は、上記した通信異常検知信号Ｅ１を受信した場合には、ネットワークＮＷａ及びゲートウェイ４０を介して第１の通信装置（２１、３１）との通信を図り、第１の通信装置の現在の詳細な通信状態を表す通信状態情報ＴＳａを生成する。
【００５１】
また、通信状態管理部５１０は、上記した通信異常検知信号Ｅ２を受信した場合には、ネットワークＮＷａ及びゲートウェイ４０を介して第２の通信装置（２２、３２）との通信を図り、第２の通信装置の現在の詳細な通信状態を表す通信状態情報ＴＳｂを生成する。
【００５２】
また、通信状態管理部５１０は、上記した通信異常検知信号Ｅ３を受信した場合には、ネットワークＮＷａ及びゲートウェイ４０を介して第３の通信装置（２３、３３）との通信を図り、第３の通信装置の現在の詳細な通信状態を表す通信状態情報ＴＳｃを生成する。
【００５３】
また、通信状態管理部５１０は、上記した通信異常検知信号Ｅ４を受信した場合には、ネットワークＮＷａ及びゲートウェイ４０を介して第４の通信装置（２４、３３）との通信を図り、第４の通信装置の現在の詳細な通信状態を表す通信状態情報ＴＳｄを生成する。
【００５４】
ここで、通信状態管理部５１０は、ＨＭＩ端末６０から送信された通信状態要求信号をネットワークＮＷｂを介して受信した場合に、上記した通信状態情報ＴＳａ〜ＴＳｃのうちから、当該通信状態要求信号にて指定された通信状態情報を選択する。通信状態管理部５１０は、この選択した通信状態情報を通信状態情報ＴＳとして統合監視画像制御部５０４に供給する。
【００５５】
統合監視画像制御部５０４は、ＨＭＩ端末６０から送信された監視開始指令信号をネットワークＮＷｂを介して受信したら、例えば図３に示すような監視画像ＤＭを表す監視画像信号ＶＭを、ネットワークＮＷｂを介してＨＭＩ端末６０に送信する。
【００５６】
図３に示すように、監視画像ＤＭには、センサ１１〜１４に接続されている第１〜第４の通信装置に対応付けして、通信装置毎の通信状態情報を要求する為のボタンＢ１〜Ｂ４が含まれる。例えば、ボタンＢ１は第１の通信装置（２１、３１）の通信状態情報ＴＳａに対応しており、ボタンＢ２は第２の通信装置（２２、３２）の通信状態情報ＴＳｂに対応している。また、ボタンＢ３は第３の通信装置（２３、３３）の通信状態情報ＴＳｃに対応しており、ボタンＢ４は第３の通信装置（２４、３３）の通信状態情報ＴＳｄに対応している。
【００５７】
ここで、統合監視画像制御部５０４は、上記した警告信号ＥＲａを受けた場合には、図３に示す監視画像ＤＭのボタンＢ１の領域に「警告」を表すメッセージを含む監視画像信号ＶＭをネットワークＮＷｂを介してＨＭＩ端末６０に送信する。また、統合監視画像制御部５０４は、警告信号ＥＲｂを受けた場合には、ボタンＢ２の領域に「警告」を表すメッセージを含む監視画像信号ＶＭをネットワークＮＷｂを介してＨＭＩ端末６０に送信する。また、統合監視画像制御部５０４は、警告信号ＥＲｃを受けた場合には、ボタンＢ３の領域に「警告」を表すメッセージを含む監視画像信号ＶＭをネットワークＮＷｂを介してＨＭＩ端末６０に送信する。また、統合監視画像制御部５０４は、警告信号ＥＲｄを受けた場合には、ボタンＢ４の領域に「警告」を表すメッセージを含む監視画像信号ＶＭをネットワークＮＷｂを介してＨＭＩ端末６０に送信する。
【００５８】
尚、図３では、センサ１２に接続されている第２の通信装置（２２、３２）に対応したボタンＢ２に、「警告」を表すメッセージが表示された状態を示す。
【００５９】
また、統合監視画像制御部５０４は、通信状態管理部５１０から供給された通信状態情報ＴＳを文字又は図形で示す通信管理画像を表す通信管理画像信号ＶＳを生成する。統合監視画像制御部５０４は、上記した監視画像信号ＶＭ、及び通信管理画像信号ＶＳをネットワークＮＷｂを介してＨＭＩ端末６０に送信する。
【００６０】
ＨＭＩ端末６０は、使用者の入力操作を受け付ける操作部６４、及び表示部６５を含む。
【００６１】
ＨＭＩ端末６０は、ネットワークＮＷｂを介して監視画像信号ＶＭを受信すると、当該監視画像信号ＶＭに応じて図３に示すような監視画像ＤＭを当該表示部６５に表示させる。
【００６２】
また、ＨＭＩ端末６０は、使用者の入力操作によって、ログデータの検索条件（例えばキーワード等の文字情報）を受けた場合には、当該検索条件を表す検索条件指定信号をネットワークＮＷｂを介してＩｏＴサーバ５０に送信する。
【００６３】
また、ＨＭＩ端末６０は、使用者の入力操作によって監視開始指令を受けると、監視開始指令信号をネットワークＮＷｂを介してＩｏＴサーバ５０に送信する。
【００６４】
更に、ＨＭＩ端末６０は、使用者の入力操作によって図３に示すボタンＢ１〜Ｂ４のうちの１つが選択されると、そのボタンに対応した通信装置の現在の状態を表す通信状態情報を要求する通信状態要求信号を、ネットワークＮＷｂを介してＩｏＴサーバ５０に送信する。
【００６５】
例えば、使用者が監視画像ＤＭ中のボタンＢ２を選択すると、ＨＭＩ端末６０は、ボタンＢ２に対応した第２の通信装置（２２、３２）に関する通信状態情報ＴＳｂを指定する通信状態要求信号をＩｏＴサーバ５０に送信する。
【００６６】
以下に、図１及び図２に示す通信システム１００の動作の一例について説明する。
【００６７】
図４は、図１に示すセンサ１１に接続されている第１の通信装置（２１、３１）が正常な通信状態にある場合に、当該第１の通信装置、ＩｏＴサーバ５０の監視部５５及びＨＭＩ端末６０間で行われる動作を表す通信フロー図である。
【００６８】
先ず、ＨＭＩ端末６０が、ログデータの検索条件として、例えば「警告」を文字情報で表す検索条件指定信号を監視部５５のログ常時検索部５０３ａに送信する（ステップＳ１０）。ログ常時検索部５０３ａは、かかる検索条件指定信号を受信すると、当該検索条件指定信号によって表される検索条件として、「警告」を表す文字情報を設定する（ステップＳ１１）。
【００６９】
次に、ＨＭＩ端末６０は、監視開始指令信号を監視部５５の統合監視画像制御部５０４に送信する（ステップＳ１２）。統合監視画像制御部５０４は、監視開始指令信号を受信すると、例えば図３に示すような監視画像ＤＭを表す監視画像信号ＶＭをＨＭＩ端末６０に送信する（ステップＳ１３）。ＨＭＩ端末６０は、監視画像信号ＶＭを受信すると、当該監視画像信号ＶＭによって表される監視画像ＤＭを表示部６５に表示させる（ステップＳ１４）。
【００７０】
その後、センサ１１が自身の検出結果を表す検出信号ＳＤ１を第１の通信装置（２１、３１）に供給する（ステップＳ２１）。第１の通信装置は、当該検出信号ＳＤ１を含むセンサ信号ＤＸ１を、ゲートウェイ４０を介してＩｏＴサーバ５０に送信する（ステップＳ２２）。ＩｏＴサーバ５０は、センサ信号ＤＸ１をデータベースに蓄積する。
【００７１】
尚、この間、第１の通信装置（２１、３１）が正常な通信状態にある為、監視部５５の異常検出部５０１ａは、通信異常検知信号Ｅ１を受けることはない。よって、異常検出部５０１ａは、例えば「正常」を文字情報で表すログデータＬＧａを、ログ蓄積部５０２ａに供給する（ステップＳ２３）。ログ蓄積部５０２ａは、かかるログデータＬＧａを受けると、ログデータＬＧａの内容（例えば文字情報「正常」）を蓄積する（ステップＳ２４）。
【００７２】
ここで、監視部５５のログ常時検索部５０３ａは、ログ蓄積部５０２ａに蓄積されているログデータＬＧａ群のうちから、「警告」を表す文字情報を含むログデータＬＧａの検索を行う（ステップＳ２５）。これにより、ログ蓄積部５０２ａは、自身に蓄積されているログデータＬＧａ群を読み出す（ステップＳ２６）。ログ常時検索部５０３ａは、読み出されたログデータＬＧａ群のうちから、「警告」を表す文字情報を含むログデータＬＧａが含まれているか否かを判定する（ステップＳ２７）。この際、第１の通信装置（２１、３１）が正常な通信状態にある為、ログ蓄積部５０２ａには、「正常」を表す文字情報を含むログデータＬＧａが蓄積されているものの、「警告」を表す文字情報を含むログデータＬＧａは蓄積されていない。よって、ログ常時検索部５０３ａは、警告信号ＥＲａを統合監視画像制御部５０４に供給しない。それ故、統合監視画像制御部５０４は、上記したステップＳ１３において生成した監視画像信号ＶＭを引き続きＨＭＩ端末６０に送信する。
【００７３】
これにより、図３の監視画像ＤＭに示されるように、第１の通信装置に対応したボタンＢ１には、「警告」を表すメッセージは表示されない。
【００７４】
以下に、図１に示すセンサ１２に接続されている第２の通信装置（２２、３２）に通信異常が生じている場合に、当該第２の通信装置と、ＩｏＴサーバ５０の監視部５５と、ＨＭＩ端末６０との間で行われる動作について、図５に示す通信フローに従って説明する。尚、図５に示されるステップＳ１０〜Ｓ１４の処理については、図４に示すものと同一であるので、その説明は省略する。
【００７５】
図５において、センサ１２が自身の検出結果を表す検出信号ＳＤ２を第２の通信装置（２２、３２）に供給する（ステップＳ３１）。ここで、第２の通信装置は、通信異常が生じている為、通信異常検知信号Ｅ２を、ゲートウェイ４０を介してＩｏＴサーバ５の監視部５５に送信する（ステップＳ３２）。
【００７６】
監視部５５の異常検出部５０１ｂ及び通信状態管理部５１０は、通信異常検知信号Ｅ２を受信すると通信異常対応処理を実行する（ステップＳ３３）。通信異常対応処理では、異常検出部５０１ｂは、「警告」を文字情報で表すログデータＬＧｂをログ蓄積部５０２ｂに供給する。通信状態管理部５１０は、ネットワークＮＷａを介して第２の通信装置（２２、３２）との通信を図り、第２の通信装置の現在の詳細な通信状態を表す通信状態情報ＴＳｂを生成する。
【００７７】
ログ蓄積部５０２ｂは、かかるログデータＬＧｂを受けると、ログデータＬＧｂの内容（例えば文字情報「警告」）を蓄積する（ステップＳ３４）。
【００７８】
監視部５５のログ常時検索部５０３ｂは、ログ蓄積部５０２ｂに蓄積されているログデータＬＧｂ群のうちから、「警告」を表す文字情報を含むログデータＬＧｂの検索を行う（ステップＳ３５）。これにより、ログ蓄積部５０２ｂは、自身に蓄積されているログデータＬＧｂ群を読み出す（ステップＳ３６）。そして、ログ常時検索部５０３ｂは、読み出されたログデータＬＧｂ群のうちから、「警告」を表す文字情報を含むログデータＬＧｂが含まれているか否かを判定する（ステップＳ３７）。この際、第２の通信装置（２３、３２）が通信異常状態にある為、ログ蓄積部５０２ｂには、「警告」を表す文字情報を含むログデータＬＧｂが蓄積されている。よって、ログ常時検索部５０３ｂは、ログ蓄積部５０２ｂには「警告」を表す文字情報を含むログデータＬＧｂが蓄積為れていると判定し、警告信号ＥＲｂを統合監視画像制御部５０４に供給する。
【００７９】
統合監視画像制御部５０４は、警告信号ＥＲｂを受けると、図３に示すようにボタンＢ２の領域に警告メッセージを含む監視画像ＤＭを表す監視画像信号ＶＭをＨＭＩ端末６０に送信する（ステップＳ３８）。ＨＭＩ端末６０は、かかる監視画像信号ＶＭを受信すると、図３に示すようにボタンＢ２の領域に警告メッセージを含む監視画像ＤＭを表示部６５に表示させる（ステップＳ３９）。
【００８０】
ここで、ＨＭＩ端末６０の使用者が、表示部６５に表示されている監視画像ＤＭ中のボタンＢ１〜Ｂ４のうちの１つを選択すると、選択したボタンに対応した通信装置の詳細な状態を表す通信管理画像が表示部６５に表示される。
【００８１】
図６は、ＨＭＩ端末６０の使用者が、図３に示すように、警告メッセージが表示されているボタンＢ２を選択した際に、監視部５５に含まれる通信状態管理部５１０、統合画像制御部５０４、及びＨＭＩ端末６０間で行われる動作を表す通信フロー図である。
【００８２】
図６において、使用者によるボタンＢ２の選択操作を受けると、ＨＭＩ端末６０は、ボタンＢ２に対応した通信状態情報ＴＳｂを要求する通信状態要求信号を通信状態管理部５１０に送信する（ステップＳ４１）。通信状態管理部５１０は、この通信状態要求信号の受信に応じて、当該通信状態情報ＴＳｂを通信状態情報ＴＳとして統合画像制御部５０４に供給する（ステップＳ４２）。統合画像制御部５０４は、通信状態情報ＴＳを文字又は図形等で表す通信管理画像信号ＶＳをＨＭＩ端末６０に送信する（ステップＳ４３）。ＨＭＩ端末６０は、通信管理画像信号ＶＳを受信すると、当該通信管理画像信号ＶＳによって表される、第２の通信装置（２２、３２）の通信状態を詳細に表す通信管理画像を表示部６５に表示させる（ステップＳ４４）。
【００８３】
以上のように、通信システム１００によれば、通信状態情報の取得を担う通信管理Ｓ／Ｗが通信装置毎に異なっていても、監視画像ＤＭに含まれるボタンＢ１〜Ｂ４の表示形態（警告メッセージの表示）により、第１〜第４の通信装置に対応した通信状態情報ＴＳａ〜ＴＳｄのうちから優先的に取得すべき通信状態情報を知ることが可能となる。
【００８４】
そして、ＨＭＩ端末６０の使用者が、例えば警告メッセージが表示されたボタンＢ２を選択することにより、第２の通信装置（２２、３２）の通信状態を表す通信管理画像が表示部６５に表示される。よって、使用者は、当該通信管理画像に基づき、第２の通信装置（２２、３２）で生じている不具合要因を特定することが可能となる。
【００８５】
従って、使用者は、簡単な操作で且つ誤操作することなく複数の通信装置のうちから所望の通信装置の通信状態を把握することが可能となる。
【００８６】
尚、上記実施例では、第１〜第４の通信装置が通信異常の状態にある場合には通信異常検知信号Ｅ１〜Ｅ４をＩoＴサーバ５０に送信することにより、監視部５５に通信異常を知らせている。しかしながら、第１〜第４の通信装置として、当該通信異常検知信号Ｅ１〜Ｅ４を生成する機能を備えていないものを採用しても良い。この際、監視部５５に含まれる異常検出部５０１ａ〜５０１ｃは、例えばネットワークＮＷａ及びゲートウェイ４０を介した第１〜第４の通信装置とのテスト通信を行うことにより、第１〜第４の通信装置毎に、通信異常が生じているか否かを判定する。
【００８７】
また、上記実施例では、４つのセンサ１１〜１４に夫々接続されている４系統の通信装置を監視対象としているが、Ｎ（Ｎは２以上の整数）個の通信装置を監視対象としても良い。
【００８８】
また、図３に示す一例では、監視画像ＤＭに含まれるボタンＢ１〜Ｂ４のうちで、通信異常が生じている通信装置に対応した通信状態情報に対応付けされているボタンＢ２の領域に文字情報として警告メッセージを付加しているが、かかる表示形態に限定されない。
【００８９】
また、上記実施例では、監視画像ＤＭ中に含まれるＢ１〜Ｂ４の名称としてボタンなる用語を用いているが、これに限定されない。すなわち、Ｂ１〜Ｂ４としては第１〜第４の通信状態情報ＴＳａ〜ＴＳｄを個別に取得する為のアイコンであれば良い。
【００９０】
要するに、通信システム１００としては、以下のような、通信網（ＮＷａ）に接続されている第１〜第Ｎの通信装置（２１〜２４、３１〜３３）と、この通信網に接続されているサーバ（５０）と、サーバと通信を行う端末（６０）と、を含むものであれば良い。        
【００９１】
サーバ（５０）は、以下のサーバ、通信異常検出部、及び画像制御部を含む。
【００９２】
通信状態管理部（５１０）は、通信網（ＮＷａ）を介して第１〜第Ｎの通信装置の通信状態を検出して第１〜第Ｎの通信状態情報（ＴＳａ〜ＴＳｄ）を得て、通信状態要求信号を受信した場合に第１〜第Ｎの通信状態情報のうちから通信状態要求信号で指定された通信状態情報（ＴＳ）を選出する。
【００９３】
通信異常検出部（５０１ａ〜５０１ｃ、５０２ａ〜５０２ｃ、５０３ａ〜５０３ｃ）は、通信網を介して第１〜第Ｎの通信装置のうちから通信異常が生じている通信装置を検出する。画像制御部（５０４）は、第１〜第Ｎの通信状態情報に対応付けした第１〜第Ｎのアイコン（Ｂ１〜Ｂ４）を表し且つ第１〜第Ｎのアイコンのうちで通信異常が生じている通信装置に対応した通信状態情報に対応付けされているアイコンの領域内に所定の文字情報を付加した監視画像（ＤＭ）を表す監視画像信号（ＶＭ）を端末（６０）に送信する。更に、画像制御部（５０４）は、通信状態管理部（５１０）で選出された通信状態情報を表す通信管理画像信号（ＴＳ）を端末（６０）に送信する。
【００９４】
端末（６０）は、監視画像信号に基づく監視画像及び通信管理画像信号に基づく通信管理画像を表示する表示部（６５）を含み、監視画像に含まれる第１〜第Ｎのアイコンのうちから１つのアイコンを選択する操作を受けた場合に選択されたアイコンに対応した通信状態情報を指定する通信状態要求信号をサーバ（５０）に送信する。
【符号の説明】
【００９５】
１１〜１４          センサ
２１〜２４          副通信部
３１〜３３          主通信部
５０                ＩｏＴサーバ
５５                監視部
６０                ＨＭＩ端末
６５                表示部
５０１ａ〜５０１ｃ  異常検出部
５０２ａ〜５０２ｃ  ログ蓄積部
５０３ａ〜５０３ｃ  ログ常時検索部
５０４              統合監視画像制御部
【図１】
2018142901.tif 000003
【図２】
2018142901.tif 000004
【図３】
2018142901.tif 000005
【図４】
2018142901.tif 000006
【図５】
2018142901.tif 000007
【図６】
2018142901.tif 000008